(57)【要約】      （修正有）【課題】ユーザが載せ台に足を載せた際に、操作入力部を誤って操作してしまうことを防止することができる生体情報測定装置を提供する。【解決手段】生体情報測定装置は、載せ台１０とベース２０とを備える。載せ台１０は、ベース２０の上面２１に形成されている。載せ台１０の上面１１は、生体情報の測定時にユーザの身体の一部である足裏が接触する載置領域である。上面２１の端部付近に操作領域２３が形成され、この操作領域２３に操作入力部３１が配設される。操作領域２３は、載せ台１０の上面１１より高さ方向に低い位置に形成される。【選択図】図１
2016003868.tif 000002
【特許請求の範囲】
【請求項１】
載せ台が備える載置領域と、
段部を介して前記載置領域より低い位置に形成され、操作入力部が配設される操作領域と
を備える生体情報測定装置。
【請求項２】
前記ユーザの進入方向に沿って、前記操作領域と前記載置領域とが順次、形成される
請求項１に記載の生体情報測定装置。
【請求項３】
前記操作入力部は、タッチスイッチにより構成される
請求項１または２に記載の生体情報測定装置。
【請求項４】
前記載置領域と前記操作領域とが視覚的に区別可能に構成される
請求項１乃至３のいずれかに記載の生体情報測定装置。
【発明の詳細な説明】
【技術分野】
【０００１】
本発明は、例えば、生体情報を測定する体組成計や体重計に適用可能な生体情報測定装置に関する。
【背景技術】
【０００２】
体重、体脂肪等の生体情報を測定する生体情報測定装置が普及している。例えば、下記特許文献１には、体重計付き生体計測装置が記載されている。特許文献１に記載の体重計付き生体計測装置は、外側の載せ台と内側の載せ台とを備え、外側の載せ台の表面に、ユーザの足裏が接触する電極とスイッチ類とが形成されたものである。
【先行技術文献】
【特許文献】
【０００３】
【特許文献１】特開２００１−２２８０１３号公報
【発明の概要】
【発明が解決しようとする課題】
【０００４】
特許文献１に記載の生体計測装置のように、ユーザの足の裏面（足裏）が接触する領域とスイッチ類とが同一の面に形成されている場合には、ユーザが足を載せる際に足裏で誤ってスイッチ類を押してしまう問題があり、この問題等により装置の利便性、操作性等が低下するおそれがあった。
【０００５】
そこで、本発明は、利便性、操作性等をより向上させた生体情報測定装置を提供することを目的の一つとする。
【課題を解決するための手段】
【０００６】
上記課題を解決するために、本発明は、載せ台が備える載置領域と、段部を介して前記載置領域より低い位置に形成され、操作入力部が配設される操作領域とを備える生体情報測定装置である。
ユーザの進入方向に沿って、操作領域と載置領域とが順次、形成される構成でもよい。
操作入力部は、タッチスイッチにより構成されてもよい。
載置領域と操作領域とが視覚的に区別可能に構成されてもよい。
【発明の効果】
【０００７】
本発明によれば、生体情報測定装置の利便性、操作性等を向上させることができる。
【図面の簡単な説明】
【０００８】
【図１】図１は、本発明の一実施形態における生体情報測定装置の斜視図である。
【図２】図２は、本発明の一実施形態における生体情報測定装置の平面図である。
【図３】図３は、本発明の一実施形態における生体情報測定装置の左側面図である。
【図４】図４は、本発明の一実施形態における生体情報測定装置の底面図である。
【図５】図５は、本発明の一実施形態における生体情報測定装置の電気的な構成を示すブロック図である。
【発明を実施するための形態】
【０００９】
以下、本発明の複数の実施形態について図面を参照しながら説明する。なお、説明は以下の順序で行う。
＜１．一実施形態＞
＜２．変形例＞
以下に説明する実施形態等は本発明の好適な具体例であり、本発明の内容がこれらの実施形態等に限定されるものではない。
【００１０】
＜１．一実施形態＞
以下、本発明の一実施形態について図面を参照しつつ詳細に説明する。以下に説明する実施形態では、本発明を、生体情報を測定する機能を有する体組成計に適用した例について説明する。生体情報として、身長、体重、脂肪率、内臓脂肪レベル、体水分量、筋肉量、基礎代謝量、骨量、除脂肪量、体細胞量、血圧、内臓脂肪面積、ＢＭＩ、肥満度、細胞内液量、細胞外液量等を例示することができる。
【００１１】
図１は、本発明の一実施形態にかかる体組成計の斜視図である。図２は、本発明の一実施形態にかかる体組成計の平面図である。図３は、本発明の一実施形態にかかる体組成計の左側面図である。図４は、本発明の一実施形態にかかる体組成計の底面図である。図５は、本発明の一実施形態にかかる体組成計の電気的な構成を示すブロック図である。
【００１２】
「体組成計の外観形状」
始めに、本発明の一実施形態にかかる体組成計（体組成計１）の外観形状の一例について説明する。図１および図２に示すように、体組成計１は、載せ台１０（プラットフォームなどとも称される）とベース２０とを備え、載せ台１０は、ベース２０の上面２１に形成されている。載せ台１０は、例えば、無色透明の強化ガラスを成形して成る略薄板状の部材であり、その上面１１が略矩形の形状を成している。載せ台１０の厚みは、例えば、５ｍｍ（ミリメートル）〜６ｍｍ程度に設定されている。
【００１３】
載せ台１０の上面１１は、体組成計１のユーザが載る（立つ）ために略平坦とされている。載せ台１０の上面１１は、生体情報の測定時にユーザの身体の一部である足裏が接触する載置領域であり、この上面１１に、例えば、金属板から形成される電流供給用電極１５Ｒ、電流供給用電極１５Ｌ、電圧測定用電極１６Ｒ、電圧測定用電極１６Ｌが互いに離間して形成されている。なお、各電極は、金属板に限定されることなく、酸化スズや酸化インジウム系の透明導電膜(ＩＴＯ(Indium Tin Oxide)）でもよい。透明導電膜を蒸着等により上面１１に形成してもよい。透明導電膜は、無色透明導電膜でもよく有色透明導電膜でもよい。また、各電極は、樹脂にメッキを施した電極でもよい。このように各電極は特定のものに限定されるものではないが、上述したように各電極を金属板により形成することにより、足を載せる位置をユーザが容易に認識することができる。
【００１４】
電流供給用電極１５Ｒおよび電流供給用電極１５Ｌは、ユーザの接触する体の部位（例えば爪先側の足裏）からユーザの体内に電流を供給するための電極である。一方、電圧測定用電極１６Ｒおよび電圧測定用電極１６Ｌは、ユーザの接触する体の部位間（例えば右側の踵側の足裏と左側の踵側の足裏の身体間）に生じる電圧を検出するための電極である。供給した電流および検出した電圧の値に基づいて、ユーザの生体インピーダンスを求めることができる。一実施形態では、電流供給用電極１５Ｒにユーザの右足の爪先側の足裏が接触し、電圧測定用電極１６Ｒにユーザの右足の踵側の足裏が接触する。また、電流供給用電極１５Ｌにユーザの左足の爪先側の足裏が接触し、電圧測定用電極１６Ｌにユーザの左足の踵側の足裏が接触する。
【００１５】
図３に示すように、ベース２０は、例えば、略薄板状を成すカバー部材２０ａと、カバー部材２０ａに取り付けられる底板部材２０ｂとかなる。カバー部材２０ａおよび底板部材２０ｂは、例えば、有色の樹脂製部材（例えば、ＡＢＳ樹脂（アクリロニトリル／ブタジエン／スチレン共重合体））から成る。なお、カバー部材２０ａおよび底板部材２０ｂは樹脂に限定されることはなく、金属等でもよい。
【００１６】
カバー部材２０ａの上面２１は、載せ台１０の上面１１と同様に略矩形の形状を成している。カバー部材２０ａの上面２１の端部付近に操作領域２３が形成され、この操作領域２３に操作入力部３１が配設されている。操作領域２３の詳細については後述するが、操作領域２３は、載せ台１０の上面１１より高さ方向に低い位置に形成される。操作入力部３１は、例えば、指を近接または接触することにより操作可能なタッチスイッチ（タッチパネル等とも称される）である。タッチスイッチの方式は特定の方式に限定されるものではないが、一例として指を近接または接触させることに伴う静電容量の変化を検出する静電容量方式を挙げることができる。
【００１７】
図１および図２では、操作入力部３１として４つのタッチスイッチ（タッチスイッチ３１ａ、タッチスイッチ３１ｂ、タッチスイッチ３１ｃおよびタッチスイッチ３１ｄ）が図示されている。タッチスイッチの数は４つに限定されることはなく、任意に設定することができる。図１および図２では、４つのタッチスイッチが整列して配置されているが、タッチスイッチの配置態様は適宜、変更できる。なお、操作入力部３１はタッチスイッチに限定されず、メカニカルなスイッチ（例えば、ユーザが押下するプッシュスイッチ）でもよい。
【００１８】
各タッチスイッチに割り当てられる機能の一例について説明する。タッチスイッチ３１ａは、例えば、体組成計１の電源をオン／オフするためのスイッチである。タッチスイッチ３１ｂおよびタッチスイッチ３１ｃは、それぞれ数値を増減するためのアップキー、ダウンキーである。タッチスイッチ３１ｄは、各種指示を確定するためのＳＥＴキーである。体組成計１のユーザは表示部１７の表示案内にしたがってタッチスイッチ３１ｂおよびタッチスイッチ３１ｃの少なくとも一方を操作して数値を増減させ、自身の年齢、身長、登録番号等を入力する。入力後にタッチスイッチ３１ｄを操作することにより入力内容を確定する。
【００１９】
カバー部材２０ａと底板部材２０ｂとが組み合わさる内部には空間が形成されており、この空間内に表示部１７やロードセル、制御基板等が収納される。また、カバー部材２０ａには、表示部１７の形状に対応した開口、例えば、略矩形の開口が形成されている。表示部１７は、例えば、ＬＣＤ(Liquid Crystal Display)からなり、ベース２０の略中央に設けられている。載せ台１０が透明部材により構成される場合には、ユーザは載せ台１０およびカバー部材２０ａに形成された開口を介して表示部１７の表示を視認することができる。表示部１７には、例えば、測定後のユーザの体重、体脂肪等が表示される。表示部１７の表示内容は体重等の測定結果に限定されることはなく、ユーザの年齢等の設定内容を表示することができる。
【００２０】
図４に示すように、底板部材２０ｂの底面２２に例えば、４個の脚部（脚部２５ａ、脚部２５ｂ、脚部２５ｃおよび脚部２５ｄ）が設けられている。個々の脚部を区別する必要がない場合には、単に脚部２５と称する。４個の脚部２５は、載せ台１０の４隅付近の直下に対応した位置に形成されている。なお、図４では、載せ台１０に対応する位置が点線により仮想的に示されている。脚部２５の他端を床面等に接地することにより、体組成計１が床面に安定して載置される。なお、脚部２５の数、形成位置等は適宜、変更することができる。
【００２１】
ベース２０内における脚部２５に対応する位置に重量センサ（図示は省略している）が設けられている。重量センサとしては例えば、起歪体と歪みゲージとからなるロードセルを使用することができる。起歪体の一端がベース２０により支持され、起歪体の他端が脚部２５に支持されるように構成される。ユーザが載せ台１０の上面１１に載ったときの荷重により起歪体が撓むと、歪みゲージが伸縮して歪みゲージの伸縮に応じて抵抗値（出力値）が変化する。この抵抗変化を荷重信号出力の変化として体重を測定することができる。
【００２２】
以上、体組成計１の外観の一例について説明した。ユーザは、一方の足を持ち上げ、上面１１に形成された一対の電極（例えば、電流供給用電極１５Ｒおよび電圧測定用電極１６Ｒ）に足を載せる。続いて、ユーザは、他方の足を持ち上げ、上面１１に形成された他の一対の電極（例えば、電流供給用電極１５Ｌおよび電圧測定用電極１６Ｌ）に足を載せる。そして、ユーザの生体情報の測定が開始される。載せ台１０に足を載置させる位置や、表示部１７の表示等に応じて、通常、ユーザが載せ台１０に載る方向（ユーザの進入方向）は、所定の方向に規定される。図１乃至図３では、ユーザの進入方向の一例が矢印により示されている。例えば、一対の電極が形成される方向と略平行な方向をユーザの進入方向として規定することができる。
【００２３】
「体組成計における操作領域について」
次に、体組成計１が有する操作領域について説明する。上述したように、載せ台１０の上面１１はユーザの足裏が接触する載置領域である。ここで、載せ台１０の大きさをカバー部材２０ａの大きさより小とすることにより、載せ台１０の端面（側面）による段部２８を形成し、カバー部材２０ａの上面２１の周縁付近を露出させることができる。この露出した領域は、載せ台１０の上面１１より高さが低いためユーザが載置領域に足を載せる際にユーザの足裏が接触しない領域である。図１乃至図３に示すように、ユーザが載置領域に足を載せる際にユーザの足裏が接触しない領域であり、且つ、ユーザの進入側における上面２１の端部付近に操作領域２３を形成する。
【００２４】
本発明の一実施形態では、操作領域２３に操作入力部３１を配設する。これにより、ユーザが足を載せ台１０に載せたときに、足裏で誤って操作入力部３１を操作し、意図しない操作入力を行ってしまうことを防止できる。また、載せ台１０および操作領域２３を異なる色等にして視覚的に区別可能とすることで、ユーザは載置領域に正確に足を載せることができる。また、ユーザの進入方向に沿って操作領域２３と表示部１７とを形成することにより、ユーザは、表示部１７の表示を確認しながら操作入力部３１に対する操作入力を行い、ユーザの年齢等の設定を行うことができる。なお、操作領域２３の大きさは、操作入力部３１の大きさや、操作入力の態様（例えば、手の指での操作や足の指での操作）を考慮して、適切な大きさに設定される。例えば、操作領域２３の幅（短手方向の長さ）は、２５ｍｍ〜３０ｍｍ程度に設定される。
【００２５】
以上説明したように、本発明の一実施形態における体組成計１は、体組成計１のユーザの進入方向に沿って、操作入力部３１が配設された操作領域２３と載せ台１０の上面１１とが、段部２８を介して順次、形成される構成となる。
【００２６】
「体組成計の電気的構成」
図５を参照して、体組成計１の電気的構成について説明する。体組成計１は、例えば、ＣＰＵ(Central Processing Unit)１００と、上述した表示部１７および操作入力部３１と、生体インピーダンス測定部７０と、重量測定部８０と、記憶部９０とを備える。表示部１７および操作入力部３１の詳細については既に説明してあるため、重複した説明を省略する。
【００２７】
ＣＰＵ１００は、体組成計１の各部を制御する。ＣＰＵ１００には、操作入力部３１に対する操作入力に応じた操作信号が供給される。ＣＰＵ１００は、操作信号に応じた表示制御等を実行する。また、ＣＰＵ１００は、生体インピーダンス測定部７０から入力される信号を使用して生体インピーダンスを求める。また、ＣＰＵ１００は、記憶部９０に記憶されている所定の演算式に基づきユーザの生体情報を求める。さらに、ＣＰＵ１００は、重量測定部８０から入力される信号に基づいて、ユーザの生体情報の一つである体重を求める。この他にも公知の制御をＣＰＵ１００は実行できる。
【００２８】
生体インピーダンス測定部７０は、電流供給部７１および電圧検出部７２と、上述した電流供給用電極（１５Ｒ，１５Ｌ）および電圧測定用電極（１６Ｒ，１６Ｌ）を有する。電流供給部７１は、ユーザが載せ台１０に乗ったときに、載せ台の上面１１に形成された電流供給用電極１５Ｒおよび電流供給用電極１５Ｌを介してユーザの足裏に高周波の微弱な定電流を印加する。電圧検出部７２は電圧測定用電極１６Ｒおよび電圧測定用電極１６Ｌを介して電位差を検出、デジタル変換し、ＣＰＵ１００に出力する。
【００２９】
重量測定部８０は、例えば、重量センサ８１およびＡ／Ｄ変換部８２を有する。重量センサ８１として上述したロードセルを適用することができる。重量センサ８１から出力された重量データは、Ａ／Ｄ変換部８２によってデジタル信号に変換されＣＰＵ１００に出力される。
【００３０】
記憶部９０は、例えば、ＲＯＭ（Read Only Memory）９１と、ＲＡＭ（Random Access Memory）９２と、書き換え可能メモリ９３とを有する。ＲＯＭ９１は、不揮発性のメモリであり、ＣＰＵ１００に各種処理を実行させるためのプログラムが記憶されている。また、ＲＯＭ９１には、体脂肪率、除脂肪量、体脂肪量、基礎代謝量、内臓脂肪面積および体重の各々を求めるための演算式が記憶されている。なお、これらのプログラムは、ＲＯＭ９１とは異なる記憶装置、例えば、ハードディスクやコンパクトディスク等の光記憶媒体に記憶されているプログラムを使用することも可能である。
【００３１】
ＲＡＭ９２は、ＣＰＵ１００のワークエリアとして機能する。書き換え可能メモリ９３には、身長、年齢および性別といった個人データが、個人を識別する識別情報と対応付けて記憶されている。
【００３２】
なお、図示した構成と異なる構成が体組成計１に追加されてもよい。例えば、スマートフォン等の携帯機器と近接無線通信を行う通信モジュールや、インターネット等のネットワークと接続するための通信モジュールが体組成計１に追加されてもよい。
【００３３】
以上、本発明の一実施形態による体組成計１について説明した。本発明の一実施形態による体組成計１により、例えば、以下の効果が得られる。
【００３４】
・載せ台における、ユーザの足裏が接触する載置領域より低い位置、すなわち、ユーザの足裏が接触しない領域に操作領域を形成し、この操作領域に操作入力部を配設している。このため、ユーザが足裏を載置領域に載せた際に操作入力部に接触して誤操作を行うことを防止でき、体組成計の利便性、操作性等を向上させることができる。
・体組成計に対するユーザの進入方向に沿って、高さが低い操作領域と高さが高い載置領域とが順次、形成されている。進入時の高さを低くすることにより、ユーザが載せ台に足を載せる際の心理的な抵抗を緩和することができ、ユーザが載せ台に足をスムーズに載せることができる。これにより体組成計の利便性、操作性等が向上させることができる。
・載せ台がガラス等の透明部材である場合に、載せ台の載置領域にタッチスイッチを配設すると、タッチスイッチに対する操作により載せ台の表面が指紋等により汚れてしまう。上述した実施形態における体組成計では、載置領域と異なる操作領域に操作入力部を配設しているため、操作入力により載せ台の表面が汚れてしまうことを防止できる。これにより体組成計の美観を保持することができる。
・ユーザの進行方向に沿って形成される操作領域と載置領域とを視覚的に区別可能とすることにより、ユーザは載置領域に正確に足を載せることができる。また、操作領域の幅により形成されるクリアランスによりユーザが足を滑らかな進入角度でもって載置領域に載せることができる。このため、載せ台がガラス等の強固な部材であっても載せ台にユーザが足先等をぶつけてしまうことを防止でき、体組成計の利便性、操作性等が向上させることができる。
【００３５】
＜２．変形例＞
本発明の一実施形態について説明したが、本発明は上述した実施形態に限定されるものではなく、本発明の技術思想の範囲内において種々の変更が可能である。以下、変形例について説明する。
【００３６】
上述した実施形態では、載せ台１０やベース２０が略板状の部材として説明したが、これに限定されるものではない。例えば、載せ台１０やベース２０が円盤状の部材でもよい。
【００３７】
上述した実施形態では、載せ台１０をガラス等の透明部材として説明した、これに限定されることはない。載せ台１０が、例えば、樹脂により構成されてもよい。
【００３８】
上述した実施形態では、本発明を体組成計に適用した例について説明したが、他の装置、例えば、体重のみを測定する体重計に対して適用することもできる。この場合には、生体インピーダンス測定部７０を除いた構成となる。
【００３９】
操作領域に操作入力部と異なる構成を配設してもよい。操作領域に、例えば、ユーザが有するスマートフォンと近接無線通信を行うための通信モジュールを配設してもよい。上述したように、操作領域はユーザの足裏が接触しないように構成されているため、足裏で踏むことに起因する通信モジュールの破壊や通信の障害の発生を防止できる。また、操作領域に、足を載置領域に誘導するためのＬＥＤ(Light Emitting Diode)等が配設されてもよい。また、操作領域に、体組成計の使用上の注意を示すラベルを貼付してもよい。
【００４０】
載せ台１０の上面１１と側面とのつなぎ目に面取り加工を施してもよい。これにより、ユーザが載せ台１０の足を載せる際に、上面１１と側面とのつなぎ目に足をぶつけてしまうことを防止できる。
【００４１】
操作領域は平坦に限定されず、例えば、ユーザの進行方向に沿って上昇するように傾斜させてもよい。
【符号の説明】
【００４２】
１      体組成計
１０    載せ台
１１    載せ台の上面
２０    ベース
２０ａ  カバー部材
２１    カバー部材の上面
２３    操作領域
２８    段部
【図１】
2016003868.tif 000003
【図２】
2016003868.tif 000004
【図３】
2016003868.tif 000005
【図４】
2016003868.tif 000006
【図５】
2016003868.tif 000007